(57)【要約】      （修正有）【課題】簡単にプランターの角度が変えられ、果実等が地面に付きにくく運搬が容易なプランター台を提供する。【解決手段】プランターを落とし込む内枠１３と内枠を保持する外枠１，２，５，６，７，８，９，１０，１２でプランター台を構成し、内枠は外枠と支持ピン１４により結合され回転可能である。回転させた内枠は留め具等により固定可能であり所謂石垣イチゴのような状況を実現できる。内枠を結合する外枠の辺に傾斜をつけ狭い空き地での複数のプランター設置を可能ならしめる。さらに内枠またはプランター上部の縁に引っかかる保護ボードを配す。これによりイチゴ等の果実の地面への接地を防ぐ。【選択図】図１
0003185790.tif 000002
【実用新案登録請求の範囲】
【請求項１】
プランターを落とし込むための内枠とその内枠を支持するための外枠を有し、内枠と外枠にその両者を結合するための支持ピンが貫通すべき穴を有し内枠と外枠が支持ピンにより結合されていることを特徴とするプランター台。
【請求項２】
前記外枠は支持ピンで内枠と結合する辺が斜度を有していることを特徴とする請求項１記載のプランター台。
【請求項３】
請求項１記載のプランター台において、さらに保護ボードを有していることを特徴とするプランター台。
【請求項４】
請求項２記載のプランター台において、さらに内枠を固定するための留め具を有していることを特徴とするプランター台。
【考案の詳細な説明】
【技術分野】
【０００１】  本考案は、植土による果実及び葉部の汚れ防止が可能なプランター台に関する。
【背景技術】
【０００２】  プランター台は階段状の棚が通常である。あるいはプランターを落とし込む枠を有してプランターを保持するやり方のものがある。（特許文献１参照）
【先行技術文献】
【特許文献】
【０００３】
【特許文献１】  登録実用新案公報第３００３３８３号
【考案の概要】
【考案が解決しようとする課題】
【０００４】  しかしながら、以上の技術によれば、プランターの設置角度を都合に応じて変更することが容易でない難点があった。また果実等が土に触れるのを防ぐ機能もなかった。
そこで、この考案は、プランターの設置角度を都合に応じて変更することが容易で果実等が土に触れることを防ぐ機能を有するプランター台を提供することを課題とする。
【課題を解決するための手段】
【０００５】  本考案は以下の特徴を有する。プランターを落とし込むための内枠とその内枠を支持するための外枠を有し、内枠と外枠にその両者を結合するための支持ピンが貫通すべき穴を有し内枠と外枠が支持ピンにより結合されていることを特徴とする。前記外枠は支持ピンで内枠と結合する辺が斜度を有していることを特徴とする。保護ボードを有していることを特徴とする。内枠を固定するための留め具を有していることを特徴とする。
【考案の効果】
【０００６】      内枠が角度を変えることができ斜めに固定できるので植物の成長の途中までは普通    に水平にして育て、果実が付きだした段階からはプランターを斜めにしてイチゴ等の    果実を土面から離れやすくすることが可能である。斜めにすることにより日当たり改    善も可能である。さらに保護ボードを傾斜プランターにかけることにより果実等が土    に触れて汚れるのを防ぎ且つ保温効果も得られる。
【図面の簡単な説明】
【０００７】
【図１】  この考案の一実施形態を示す斜視図であり外枠の一部の辺と保護ボードと留め具を省略した図である。
【図２】  この考案を構成する物の内、外枠のみの斜視図である。
【図３】  支持ピンが外枠と内枠に挿入されている断面図である。
【図４】  外枠上の留め具が内枠を留めている平面図であり外枠と内枠は留め具の周辺のみを示した図である。
【図５】  外枠上の留め具が内枠を留めている断面図である。
【図６】  保護ボード（３枚組）の平面図である。
【図７】  保護ボードの側面図である。
【考案を実施するための形態】
【０００８】  本考案を図面を用いて説明する。図２は、プランター台を構成するものの中で外枠のみを示した斜視図である。外枠は計１２本のアングル材で８か所の結合コーナーは結合具により結合されている。
図１はこの考案の一実施形態を示す斜視図であり外枠の内３，４，１１の辺と支柱を省略した図であり内枠３個を外枠で保持した様子を示している。内枠もアングル材を用いた四角形である。
【０００９】  外枠の斜度のある辺６，８と内枠１３に対し支持ピン１４が挿入されており（図３参照）内枠１３は外枠に保持される。なお支持ピン１４をボルトナット方式等にしておけば使用者は適宜内枠１３を外枠からとりはずすことは容易である。
プランターは使用者が内枠１３に落とし込む。底面が内枠１３の内径より小さく、上部が内枠１３の内径より大きいプランターが保持できる。内枠１３は支持ピン１４を回転軸として回転が可能である。例えばイチゴ栽培を例に取ると当初は水平の状態で使い実がなってくると内枠１３を回転させ石垣イチゴのように実が植土面から遊離しやすくすることが可能である。その段階においても水やり等の必要性に応じ水平に戻したりも手間なくできる。
【００１０】  また回転により日当たりを調整することも可能である。内枠１３を回転してその状態を維持して利用する場合は角度を保持させるために図４の留め具のへら１５をボルト１５ａを回転軸として内枠１３の方へ回転させ、へら１５の先端部が内枠１３の上にかぶさるようにして内枠１３を留める。こうすることにより内枠１３は外枠の斜度のある辺６，８と等しい斜度で固定される。さらに、内枠１３の回転角度を固定する方法は図４の留め具の他、ダブルナット方式でナット１４ｂ、１４ｃを両側から締め付ける方法もある。この方法によれば外枠の６、８の斜辺の角度以外の任意の角度でも固定できる。
【００１１】  そして図６に示す保護ボードは内枠及びプランターの縁にひっかかるための折れ曲がり部１７を有した板であり、これを適宜複数枚を横にならべてプランター上面を覆う。図６は内枠１３を３枚の保護ボードで覆う場合の例である。穴１６は植物が上に成長するための穴である。又、水等をここから与えることもできる。この保護ボードによりイチゴ等の果実が接地するのを防ぎ洗果を不要ならしめる。又保温効果もある。
保護ボードは横幅サイズを長短取り揃えれば、植物が成長するための穴の数も適宜増減できる。また内枠の横二連式等も可能であり外枠の斜辺６、８の角度を急こう配にすれば狭い空き地でもガーデニングできる利点がある。また本考案は各部品を容易にばらせるので輸送に便利である。
【符号の説明】
【００１２】１      外枠底面手前辺
２      外枠底面左辺
３      外枠底面奥側辺
４      外枠底面右辺
５      外枠上面手前辺
６      外枠上面左辺
７      外枠上面奥側辺
８      外枠上面右辺
９      外枠手前左支柱
１０    外枠奥側左支柱
１１    外枠奥側右支柱
１２    外枠手前右支柱
１３    内枠
１４    支持ピン
１４ａ  支持ピン装着用ナット
１４ｂ  支持ピン固定用ナット
１４ｃ  支持ピン固定用ナット
１５    留め具本体へら
１５ａ  留め具本体を外枠に装着するボルト
１５ｂ  留め具本体を外枠に装着するナット
１６    植物が上方へ伸長していくための穴
１７    保護ボードの折れ曲がり部
【図１】
0003185790.tif 000003
【図２】
0003185790.tif 000004
【図３】
0003185790.tif 000005
【図４】
0003185790.tif 000006
【図５】
0003185790.tif 000007
【図６】
0003185790.tif 000008
【図７】
0003185790.tif 000009